(57)【要約】【課題】フリッカー調整方法、これを遂行するためのフリッカー調整回路、及びこれを備える表示装置が開示される。【解決手段】表示品質を向上させるためのフリッカー調整方法、これを遂行するためのフリッカー調整回路、及びこれを備える表示装置より、表示パネルに形成される複数のセンシング画素部に検査映像を表示し、表示された検査映像の光量をセンシングし、センシング信号を出力する。フレーム単位でセンシング信号の合算値を求め、予め設定されるフレーム数に対する合算値のうち、最大値及び最小値を検出する。最大値及び最小値を用いてフリッカー指数を算出する。予め設定される臨界値と算出するフリッカー指数を比較し、フリッカー指数が臨界値より小さい場合、表示パネルの共通電圧をセッティングする。よって、工程偏差、駆動偏差、及び温度偏差などに適応的なフリッカー調整をすることにより、表示装置の表示品質を向上させることができる。【選択図】図４
2008276236.tif 000002
【特許請求の範囲】
【請求項１】
表示パネルに形成される複数のセンシング画素部において検査映像を表示する段階と、
前記表示される検査映像の光量をセンシングしてセンシング信号を出力する段階と、
フレーム単位で、前記センシング信号の合算値を求める段階と、
予め設定されるフレーム数に対する合算値のうち、最大値及び最小値を検出する段階と、
前記最大値及び最小値を利用してフリッカー指数を算出する段階と、
予め設定される臨界値と算出される前記フリッカー指数を比較し、前記フリッカー指数が前記臨界値より小さい場合、前記表示パネルの共通電圧をセッティングする段階と、を含むディスプレーパネルのフリッカー調整方法。
【請求項２】
前記合算値を求める段階は、
前記センシング信号をデジタル形態のセンシングデータに変換する段階と、
前記センシングデータを合算して前記合算値を求める段階と、を含む請求項１記載のフリッカー調整方法。
【請求項３】
前記表示パネルの共通電圧をセッティングする段階は、
前記フリッカー指数が前記臨界値より大きい場合、前記フリッカー指数が前記臨界値より小さくなるように前記共通電圧のレベルを調整し、調整された共通電圧をセッティングする段階をさらに含む請求項１記載のフリッカー調整方法。
【請求項４】
前記表示パネルの共通電圧をセッティングする段階は、
予め設定される回数ほど、前記共通電圧のレベルを調整して算出されるフリッカー指数全てが前記臨界値より大きい場合、前記フリッカー指数のうち、最小フリッカー指数に該当する共通電圧をセッティングする段階をさらに含む請求項１記載のフリッカー調整方法。
【請求項５】
検査映像を表示し、前記検査映像の光量をセンシングし、前記検査映像の光量に対応するセンシング信号を出力するセンシング部を含む表示パネルよりセンシング信号をリードアウトするセンシング信号処理部と、
フレーム単位で、前記センシング信号の合算値を求める合算部と、
予め設定されるフレーム数の対する合算値のうち、最大値及び最小値を検出する最大／最小検出部と、
前記最大値及び最小値を利用してフリッカー指数を算出するフリッカー算出部と、
前記フリッカー指数が予め設定される臨界値より小さい場合、前記表示パネルの共通電圧をセッティングする決定部と、を含むディスプレーパネルのフリッカー調整回路。
【請求項６】
前記センシング信号処理部は、前記センシング信号をデジタル形態のセンシングデータに変換し、
前記合算部は、前記センシングデータを合算するとこを特徴とする請求項５記載のフリッカー調整回路。
【請求項７】
前記決定部は、
前記フリッカー指数が前記臨界値より大きい場合、前記フリッカー指数が前記臨界値より小さくなるように前記共通電圧のレベルを調整し、調整された共通電圧にセッティングすることを特徴とする請求項５記載のフリッカー調整回路。
【請求項８】
前記決定部は、
予め設定される回数ほど、前記共通電圧のレベルを調整して算出されるフリッカー指数全てが前記臨界値より大きい場合、前記フリッカー指数のうち、最小フリッカー指数に該当する共通電圧にセッティングすることを特徴とする請求項５記載のフリッカー調整回路。
【請求項９】
検査映像を表示し、前記検査映像の光量をセンシングしてセンシング信号を出力するセンシング部を含む表示パネルと、
前記センシングに基づき、フリッカー指数を算出し、算出されるフリッカー指数を利用して前記表示パネルの共通電圧をセッティングする駆動回路と、と含む表示装置。
【請求項１０】
前記駆動回路は、
前記表示パネルに前記共通電圧を提供する電源供給回路と、
フリッカー調整モード時、前記センシング部を駆動させるタイミング制御部と、
前記センシング部よりリードアウトされる前記センシング信号を利用してフリッカー指数を算出し、算出されたフリッカー指数と予め設定される臨界値の比較の結果により、共通電圧をセッティングするように前記電源供給回路を制御するフリッカー調整回路と、を含む請求項９記載の表示装置。
【請求項１１】
前記フリッカー調整回路は、  
前記センシング信号をデジタル形態のセンシングデータに変換するセンシング信号処理部と、
フレーム単位で前記センシングデータの合算値を求める合算部と、
予め設定されるフレーム数に対する合算値のうち、最大値及び最小値を検出する最大／最小検出部と、
前記最大値及び最小値を利用し、フリッカー指数を算出するフリッカー算出部と、
前記フリッカー指数が予め設定される臨界値より小さい場合、前記共通電圧をセッティングするように前記電源供給回路を制御する決定部と、を含む請求項１０記載の表示装置。
【請求項１２】
前記決定部は、前記フリッカー指数が前記臨界値より大きい場合、前記フリッカー指数が前記臨界値より小さくなるように前記共通電圧のレベルを調整し、調整された共通電圧をセッティングするように前記電源供給回路を制御することを特徴とする請求項１１記載の表示装置。
【請求項１３】
前記決定部は、予め設定される回数ほど、前記共通電圧のレベルを調整し、算出されるフリッカー指数全てが前記臨界値より大きい場合、前記フリッカー指数のうち、最小フリッカー指数に該当する共通電圧をセッティングするように前記電源供給回路を制御することを特徴とする請求項１１記載の表示装置。
【請求項１４】
前記表示パネルは、複数の画素部が形成される表示領域を含み、前記センシング部は前記表示領域の端部に形成されることを特徴とする請求項９記載の表示装置。
【請求項１５】
前記センシング部は、複数のセンシング画素部を含み、
各センシング画素部は、
ソース配線及びダミーゲート配線に接続される画素スイッチング素子と、
前記画素スイッチング素子と接続され、前記検査映像を表示する液晶コンデンサーと、
電圧配線及び駆動ゲート配線に接続される選択スイッチング素子と、
前記選択スイッチング素子と電気的に接続され、リードアウト配線及びセンシングゲート配線に接続される選択スイッチング素子と、を含むことを特徴とする請求項１４記載の表示装置。
【請求項１６】
前記表示パネルの第１面に光を提供する光源部と、
前記センシング部をカバーし、前記センシング部に表示される前記検査映像より発生される光を反射する反射部材と、をさらに含む請求項１５記載の表示装置。
【請求項１７】
前記表示パネルの第１面に配置され、光を偏光させる第１偏光部材と、
前記第１面と向い合う前記表示パネルの第２面に配置され、光を偏光させる第２偏光部材と、をさらに含み、
前記反射部材は、前記第２偏光部材にコーディングされた反射膜であることを特徴とする請求項１６記載の表示装置。
【請求項１８】
前記反射部材は、前記表示パネル上に配置され、前記表示パネルを固定する収納容器であることを特徴とする請求項１６記載の表示装置。
【請求項１９】
前記表示パネルは、前記表示領域を取り囲む周辺領域に形成され、前記画素部及びセンシング画素部にゲート信号及びダミーゲート信号を各々提供するゲート駆動回路を含む請求項１５記載の表示装置。
【請求項２０】
前記駆動回路は、
前記画素部に映像データを出力し、前記センシング画素部に検査データを出力するソース駆動回路と、
前記ゲート駆動回路にゲート制御信号を出力するゲート制御回路と、を含むことを特徴とする請求項１９記載の表示装置。
【発明の詳細な説明】
【技術分野】
【０００１】
本発明は、フリッカー調整方法、これを遂行するためのフリッカー調整回路、及びこれを備える表示装置に関する。より詳しくは、表示品質を向上させるためのフリッカー調整方法、これを遂行するためのフリッカー調整回路、及びこれを備える表示装置に関する。
【背景技術】
【０００２】
一般的に、液晶表示装置の駆動の際、調整するべきの代表的な特性のうち1つとして、フリッカー指数（Ｆｌｉｃｋｅｒ  Ｉｎｄｅｘ）がある。前記フリッカーは液晶パネルから出る光の強度が一定ではなく、時間により周期的に変化し、使用者が光のちらつきを感じ取る現象である。
【０００３】
前記フリッカー指数は、顧客の会社にサンプルを渡す際、顧客の会社の特性要求値に合わせ、必ず設定されるべき重要な値である。従来のフリッカー調整方式では、輝度計を用いてフリッカー指数を測定し調整している。
【０００４】
具体的に、サンプルの液晶パネルに共通の電圧を調節して与えつつ、各々の調節された共通電圧に対応し、輝度計を用いてフリッカー指数を測定する。この場合、前記サンプルの液晶パネルにはフリッカー検査映像が表示される状態である。測定されたフリッカー指数のうち、最適のフリッカー指数を選択し、これに対応する共通電圧を決定する。前記決定した電圧を前記サンプルの液晶パネルと同一モデルの製品に一括に適用する方式をもってフリッカー調整を遂行する。
【０００５】
このような従来のフリッカー調整方式によれば、同一モデルの液晶パネルに同一のフリッカー調整を行うため、液晶パネルごとに互いに異なる工程偏差及び駆動回路の部品偏差によるフリッカー特性の変動には対応できない。また温度などの環境変化によるフリッカー特性の変動にもやはり対応できない問題点がある。
【発明の開示】
【発明が解決しようとする課題】
【０００６】
本発明の技術的課題は、このような従来の問題点を解決するためのもので、本発明の目的は、製品偏差及び温度偏差に適用的なフリッカー調整方法を提供することにある。
【０００７】
本発明の他の目的は、前記フリッカー調整方法を遂行するためのフリッカー調整回路を提供することにある。
【０００８】
本発明のさらに他の目的は、前記フリッカー調整回路を備えた表示装置を提供することにある。
【課題を解決するための手段】
【０００９】
前述の本発明の目的を実現するための実施例によるフリッカー調整方法は、表示パネルに形成される複数のセンシング画素部に検査映像を表示する。前記表示される検査映像の光量をセンシングし、センシング信号を出力する。フレーム単位で前記センシング信号の合算値を求め、予め設定されるフレーム数に対する合算値のうち、最大値及び最小値を検出する。前記最大値及び最小値を利用し、フリッカー指数を算出する。予め設定される臨界値と算出された前記フリッカー指数を比較し、前記フリッカー指数が前記臨界値より小さい場合、前記表示パネルの共通電圧をセッティングする。
【００１０】
前述の本発明の他の目的を実現するための実施例によるフリッカー調整回路は、センシング信号処理部、合算部、最大／最小検出部、フリッカー算出部、及び決定部を含む。前記センシング信号処理部は検査映像を表示し、前記検査映像の光量をセンシングするセンシング部を含む表示パネルよりセンシング信号をリードアウトする。前記合算部はフレーム単位で前記センシング信号の合算値を求める。前記最大／最小検出部は予め設定されるフレームの数に対する合算値のうち、最大値及び最小値を検出する。前記フリッカー算出部は前記最大値及び最小値を利用してフリッカー指数を算出する。前記決定部は前記フリッカー指数が予め設定される臨界値より小さい場合、前記表示パネルの共通電圧をセッティングする。
【００１１】
前述の本発明のさらに他の目的を実現するための実施例による表示装置は表示パネル及び駆動回路を含む。前記表示パネルは、検査映像を表示し、前記検査映像の光量をセンシングしてセンシング信号を出力するセンシング部を含む。前記駆動回路は前記センシング信号に基づいてフリッカー指数を算出し、算出されたフリッカー指数を利用して前記表示パネルの共通電圧をセッティングする。
【発明の効果】
【００１２】
このようなフリッカー調整方法、これを遂行するためのフリッカー調整回路及びこれを備える表示装置によれば、工程偏差、駆動偏差、及び温度偏差などに適応的なフリッカー調整を行うことにより、表示装置の表示品質を向上させることができる。
【発明を実施するための最良の形態】
【００１３】
以下、添付図面を参照しつつ、本発明をより詳しく説明する。
【００１４】
図１は、本発明の第１実施例による表示装置の平面図である。
【００１５】
図１を参照すれば、表示装置は表示パネル１００と前記表示パネル１００を駆動する駆動回路２００を含む。
【００１６】
前記表示パネル１００は、表示領域ＤＡと前記表示領域ＤＡを取り囲む第１周辺領域ＰＡ１及び第２周辺領域ＰＡ２を含む。
【００１７】
前記表示領域ＤＡには、ｍ個のソース配線（ＤＬ１，…，ＤＬｍ）と、ｎ個のゲート配線（ＧＬ１，…，ＧＬｎ）及びｍ×ｎ個の画素部Ｐが形成され、前記第１ゲート配線ＧＬ１、または第ｎゲート配線ＧＬｎと隣接するセンシング部が形成される。前記ｍ、ｎは自然数である。
【００１８】
各画素部Ｐは、該当するゲート配線ＧＬ１、ソース配線ＤＬ１につながる画素スイッチング素子ＴＲｐ、前記画素スイッチング素子ＴＲｐと電気的につながる液晶コンデンサーＣＬＣ、及びストレージコンデンサーＣＳＴを含む。
【００１９】
前記センシング部１５０は、複数のセンシング画素部を含む。前記センシング部１５０はフリッカー検査映像が表示され、表示されたフリッカー検査映像の光量をセンシングしてセンシング信号を出力する。
【００２０】
前記第１周辺領域ＰＡ１には前記ゲート配線（ＧＬ１，…，ＧＬｎ）にゲート信号を出力するゲート駆動回路１７０が形成される。望ましくは、前記ゲート駆動回路１７０は、前記表示パネル１００に集積されるシフトレジスタである。
【００２１】
前記第２周辺領域ＰＡ２には前記駆動回路２００が形成される。前記駆動回路２００は、前記第２周辺領域ＰＡ２にチップ形態で搭載されるか、あるいは集積されることができる。また、前記駆動回路２００と電気的につながるフレキシブル基板の一端部が前記第２周辺領域ＰＡ２に搭載されることができる。
【００２２】
前記駆動回路２００は、前記表示パネル１００を駆動して前記表示パネル１００に映像を表示する。前記駆動回路２００は、フリッカー調整モード時において、前記表示パネル１００のフリッカー指数が予め設定される臨界値以下になる共通電圧ＶＣＯＭによってセッティングする。前記共通電圧ＶＣＯＭは、前記表示パネル１００の前記液晶コンデンサーＣＬＣの共通電極に印加される電圧である。前記フリッカー調整モードは一般的に、前記表示装置の電源がターンオンされる時点及び節電モードにおいてターンオンされる時点などと同じく前記表示装置の駆動が開始される時点において任意に設定される。
【００２３】
図２は、図１に図示されるセンシング部１５０の等価回路である。
【００２４】
図１及び図２を参照すれば、前記センシング部１５０は複数のセンシング画素部（ＳＰ１，ＳＰ２，ＳＰ３，ＳＰ４，ＳＰ５，ＳＰ６）を含む。前記センシング部１５０は、第１、第２、及び第３センシング画素部（ＳＰ１，ＳＰ２，ＳＰ３）を含む第１センシング列ＳＨ１と、第４、第５、及び第６センシング画素部（ＳＰ４，ＳＰ５，ＳＰ６）を含む第２センシング列ＳＨ２を含む。
【００２５】
前記第１センシング列ＳＨ１の第１センシング画素部ＳＰ１は、第１画素スイッチング素子ＴＲｐ１、第１液晶コンデンサーＣＬＣ１、第１ストレージコンデンサーＣＳＴ１、第１選択スイッチイング素子ＴＲｓ１、及び第１センシングスイッチング素子ＴＲｄ１を含む。前記第１センシング画素部ＳＰ１は透過領域ＴＡ及びセンシング領域ＳＡを含む。具体的に、前記第１画素スイッチング素子ＴＲｐ１、第１液晶コンデンサーＣＬＣ１、及び第１ストレージコンデンサーＣＳＴ１は、前記透過領域ＴＡにおいて形成され、前記第１センシングスイッチング素子ＴＲｄ１、及び第１選択スイッチング素子ＴＲｓ１は前記センシング領域ＳＡにおいて形成される。
【００２６】
前記第１液晶コンデンサーＣＬＣ１は、アレイ基板の前記透過領域ＴＡに対応して形成される画素電極とカラーフィルター基板において形成される共通電極及び前記基板の間に介在される液晶層を含む。望ましくは、前記画素電極は、前記第１センシングスイッチング素子ＴＲｄ１が形成されるセンシング領域ＳＡには形成されない。このようにセンシング領域に画素電極を形成しなければ、センシング領域の液晶はノーマル状態のまま（すなわち、液晶の配列の無変化状態に）残り、透過領域ＴＡを通過して反射される光が、光量の歪曲なしに第１選択スイッチング素子ＴＲｓ１に到達することができる。
【００２７】
前記第１画素スイッチング素子ＴＲｐ１は、第１ダミーゲート配線ＤＧＬ１と第１ソース配線ＤＬ１に電気的につながる。前記第１液晶コンデンサーＣＬＣ１及び第１ストレージコンデンサーＣＳＴ１は、前記第１画素スイッチング素子ＴＲｐ１と電気的につながる。
【００２８】
前記第１選択スイッチング素子ＴＲｓ１は、第１センシングゲート配線ＧＬｓ１と第１リードアウト配線ＲＬ１に電気的につながる。
【００２９】
前記第１センシングスイッチング素子ＴＲｄ１は第１駆動ゲート配線ＧＬｄ１と第１電圧配線ＶＬ１に電気的につながる。前記第１センシングスイッチング素子ＴＲｄ１は、前記第１選択スイッチング素子ＴＲｓ１と電気的につながる。
【００３０】
前記第１センシング列ＳＨ１の第２及び第３センシング画素部（ＳＰ２，ＳＰ３）は、前記第１センシング画素部ＳＰ１と実質的に同一の構造で形成されるため、詳細な説明は省略する。
ただし、第２センシング画素部ＳＰ２では、第２画素スイッチング素子ＴＲｐ２は第１ダミーゲート配線ＤＧＬ１と第２ソース配線ＤＬ２に電気的に接続され、第２選択スイッチング素子ＴＲｓ２は第１センシングゲート配線ＧＬｓ１と第２リードアウト配線ＲＬ２に電気的に接続され、第２センシングスイッチング素子ＴＲｄ２は第１駆動ゲート配線ＧＬｄ１と第２電圧配線ＶＬ２に電気的に接続される。同様に、第３センシング画素部ＳＰ３では、第３画素スイッチング素子ＴＲｐ３は第１ダミーゲート配線ＤＧＬ１と第３ソース配線ＤＬ３に電気的に接続され、第３選択スイッチング素子ＴＲｓ３は第１センシングゲート配線ＧＬｓ１と第３リードアウト配線ＲＬ３に電気的に接続され、第３センシングスイッチング素子ＴＲｄ３は第１駆動ゲート配線ＧＬｄ１と第３電圧配線ＶＬ３に電気的に接続される。
【００３１】
前記第２センシング列ＳＨ２の第４センシング画素部ＳＰ４は、第４画素スイッチング素子ＴＲｐ４、第４液晶コンデンサーＣＬＣ４、第４ストレージコンデンサーＣＳＴ４、第４選択スイッチング素子ＴＲｓ４、及び第４センシングスイッチング素子ＴＲｄ４を含む。前記第４センシング画素部ＳＰ４は、前記透過領域ＴＡ及び前記センシング領域ＳＡを含む。具体的に、前記第４画素スイッチング素子ＴＲｐ４、第４液晶コンデンサーＣＬＣ４、及び第４ストレージコンデンサーＣＳＴ４は前記透過領域ＴＡに形成され、前記第４選択スイッチング素子ＴＲｓ４及び第４センシングスイッチング素子ＴＲｄ４は、前記センシング領域ＳＡに形成される。
【００３２】
前記第４液晶コンデンサーＣＬＣ４はアレイ基板の前記透過領域ＴＡに対応して形成される画素電極とカラーフィルター基板に形成される共通電極及び前記基板の間に介在される液晶層を含む。望ましくは、前記画素電極は、前記第４選択スイッチング素子ＴＲｓ４が形成されるセンシング領域には形成されない。
【００３３】
前記第４画素スイッチング素子ＴＲｐ４は第２ダミーゲート配線ＤＧＬ２と前記第１ソース配線ＤＬ１に電気的につながる。前記第４液晶コンデンサーＣＬＣ４及び第４ストレージコンデンサーＣＳＴ４は、前記第４画素スイッチング素子ＴＲｐ４と電気的につながる。
【００３４】
前記第４選択スイッチング素子ＴＲｓ４は、第２センシングゲート配線ＧＬｓ２と第１リードアウト配線ＲＬ１において電気的につながる。
【００３５】
前記第４センシング素子ＴＲｄ４は、第２駆動ゲート配線ＧＬｄ２と第１電圧配線ＶＬ１において電気的につながる。前記第４センシングスイッチング素子ＴＲｄ４は、前記選択スイッチング素子ＴＲｓ４と電気的につながる。
【００３６】
前記第２センシング列ＳＨ２の第５及び第６センシング画素部（ＳＰ５，ＳＰ６）は、前記第４センシング画素部ＳＰ４と実質的に同一の構造で形成されるため、詳細な説明は省略する。
ただし、第５センシング画素部ＳＰ５では、第５画素スイッチング素子ＴＲｐ５は第２ダミーゲート配線ＤＧＬ２と第２ソース配線ＤＬ２に電気的に接続され、第５選択スイッチング素子ＴＲｓ５は第２センシングゲート配線ＧＬｓ２と第２リードアウト配線ＲＬ２に電気的に接続され、第５センシングスイッチング素子ＴＲｄ５は第２駆動ゲート配線ＧＬｄ２と第２電圧配線ＶＬ２に電気的に接続される。同様に、第６センシング画素部ＳＰ６では、第６画素スイッチング素子ＴＲｐ６は第２ダミーゲート配線ＤＧＬ２と第３ソース配線ＤＬ３に電気的に接続され、第６選択スイッチング素子ＴＲｓ６は第２センシングゲート配線ＧＬｓ２と第３リードアウト配線ＲＬ３に電気的に接続され、第６センシングスイッチング素子ＴＲｄ６は第２駆動ゲート配線ＧＬｄ２と第３電圧配線ＶＬ３に電気的に接続される。
【００３７】
前記センシング部１５０の第１センシング列ＳＨ１の作動は次のようである。
【００３８】
前記第１ダミーゲート配線ＤＧＬ１に、第１ダミーゲート信号が印加され、前記第１、第２、及び第３のソース配線（ＤＬ１，ＤＬ２，ＤＬ３）にフリッカー検査をするための検査データが印加されれば、前記第１、弟２、及び第３画素スイッチング素子（ＴＲｐ１，ＴＲｐ２，ＴＲｐ３）はターンオンされるため、前記第１、第２、及び第３センシング画素部（ＳＰ１，ＳＰ２，ＳＰ３）にはフリッカー検査映像が表示される。
【００３９】
前記検査映像による光が反射され、前記第１、第２、第３センシングスイッチング素子（ＴＲｄ１，ＴＲｄ２，ＴＲｄ３）に到達すれば、前記第１、第２、第３センシングスイッチング素子（ＴＲｄ１，ＴＲｄ２，ＴＲｄ３）は、ターンオンし、前記第１、第２、及び第３選択スイッチング素子（ＴＲｓ１，ＴＲｓ２，ＴＲｓ３）にバイアス電圧を印加する。
【００４０】
この場合、前記第１センシングゲート配線ＧＬｓ１に第１センシングゲート信号Ｇｓ１が印加されれば、前記第１、第２、及び第３選択スイッチング素子（ＴＲｓ１，ＴＲｓ２，ＴＲｓ３）は、ターンオンされて前記フリッカー検査映像の輝度（または、光量）をセンシングし、第１、第２、及び第３リードアウト配線（ＲＬ１，ＲＬ２，ＲＬ３）を通じて前記駆動回路２００に出力する。
【００４１】
このような方式で、前記第２センシング列ＳＨ２も作動し、前記第４、第５、第６選択スイッチング素子（ＴＲｓ５，ＴＲｓ６，ＴＲｓ７）は、前記フリッカー検査映像の 輝度（または、光量）をセンシングし、第１、第２、及び第３リードアウト配線（ＲＬ１，ＲＬ２，ＲＬ３）を通じて前記駆動回路２００に出力する。
【００４２】
図３は、図１に図示される表示装置に対する概略的な断面図である。
【００４３】
図２及び図３を参照すれば、表示装置は、表示パネル１００、第１偏光部材１１０ａ、第２偏光部材１２０ａ、光源部３００、及び反射部材４００を含む。
【００４４】
前記表示パネル１００はアレイ基板１１０、カラーフィルター基板１２０、及び液晶層１３０を含む。前記アレイ基板１１０は、第１ベース基板１０１を含み、前記第１ベース基板１０１の第１面の上には第１画素スイッチング素子ＴＲｐ１、第１センシングスイッチング素子ＴＲｄ１、第２画素スイッチング素子ＴＲｐ２、第２センシングスイッチング素子ＴＲｄ２、第３画素スイッチング素子ＴＲｐ３、及び第３センシングスイッチング素子ＴＲｄ３を含むセンシング部１５０が形成される。第１、第２、及び第３選択スイッチング素子（ＴＲｓ１，ＴＲｓ２，ＴＲｓ３）も形成される（図示せず）。
【００４５】
前記カラーフィルター基板１２０は、第２ベース基板２０１を含み、前記第２ベース基板２０１の第１面の上には、第１カラーフィルターＣＦ１、第２カラーフィルターＣＦ２、及び第３カラーフィルターＣＦ３が形成される。
【００４６】
前記第１、第２、及び第３センシング画素部（ＳＰ１，ＳＰ２，ＳＰ３）各々は、透過領域ＴＡとセンシング領域ＳＡを含む。前記第１、第２、及び第３センシング画素部（ＳＰ１，ＳＰ２，ＳＰ３）各々の透過領域ＴＡには、前記第１、第２、及び第３カラーフィルター（ＣＦ１，ＣＦ２，ＣＦ３）が形成される。前記透過領域ＴＡは、フリッカー検査映像が表示される領域である。
【００４７】
前記第１、第２、及び第３センシング画素部（ＳＰ１，ＳＰ２，ＳＰ３）各々のセンシング領域ＳＡには、第１、第２、及び第３センシングスイッチング素子（ＴＲｄ１，ＴＲｄ２，ＴＲｄ３）、第１、第２、及び第３選択スイッチング素子（ＴＲｓ１，ＴＲｓ２，ＴＲｓ３）が形成される。前記センシング領域ＳＡは、フリッカー検査映像の輝度（または、光量）がセンシングされる領域である。
【００４８】
前記第１偏光部材１１０ａは、前記第１ベース基板１０１の前記第１面と対向する第２面の上に配置される。前記第２偏光部材１２０ａは、前記第２ベース基板１２１の前記第１面と対向する第２面の上に配置される。
【００４９】
前記光源部３００は、前記第１偏光部材１１０ａの下部、つまり、前記表示パネル１００の後面に配置され、前記表示パネル１００に光を提供する。
【００５０】
前記反射部材４００は、前記センシング部１５０が形成される領域に対応し、前記表示パネル１００の前面（Ｆｒｏｎｔ）に配置され、前記センシング部１５０をカバーする。前記反射部材４００は、前記透過領域ＴＡから透過される光を反射し、反射された光を前記センシング領域ＳＡに入射させる。前記反射部材４００は、前記表示パネル１００の前面において、前記表示パネル１００を固定するトップシャシなどのような収納容器であるか、または前記第１偏光部材１１０ａの上部面にコーティングされた反射膜であることができる。
【００５１】
前記センシング部１５０の駆動方式は次のようである。
【００５２】
前記光源部３００より出射される光により、前記第１、第２、及び第３センシング画素部（ＳＰ１，ＳＰ２，ＳＰ３）の透過領域ＴＡにはフリッカー検査の映像が表示される。よって、前記透過領域ＴＡにおいては前記フリッカー検査映像の輝度に対応する光が出射され、前記出射された光は、前記表示パネル１００の前面に配置される前記反射部材４００によって反射されて前記センシング領域ＳＡに入射される。前記センシング領域ＳＡに入射される光は、前記第１、第２、第３センシングスイッチング素子（ＴＲｄ１，ＴＲｄ２，ＴＲｄ３）に到達し、第１、第２、第３センシングスイッチング素子（ＴＲｄ１，ＴＲｄ２，ＴＲｄ３）がターンオンする。そして、センシング領域ＳＡに入射される光の強度に応じたバイアス電圧が前記第１、第２、及び第３選択スイッチング素子（ＴＲｓ１，ＴＲｓ２，ＴＲｓ３）に出力され、これにより前記第１、第２、及び第３選択スイッチング素子（ＴＲｓ１，ＴＲｓ２，ＴＲｓ３）を通じて光量が形成される。前記センシング部１５０にセンシングされる前記フリッカー検査映像の輝度（または、光量）によるセンシング信号は、前記センシング部１５０の前記リードアウト配線（ＲＬ１，ＲＬ２，ＲＬ３）を通じて前記駆動回路２００に出力される。
【００５３】
図４は、図１に図示される駆動回路２００に関するブロック図である。
【００５４】
図１、図２、及び図４を参照すれば、前記駆動回路２００はタイミング制御部２１０、電圧供給回路２２０、ゲート制御回路２３０、ガンマ電圧発生回路２４０、ソース駆動回路２５０、及びフリッカー調整回路２６０を含む。
【００５５】
前記タイミング制御部２１０は、外部から入力される制御信号２００ｃに基づき、前記駆動回路２００の全般的な駆動を制御する駆動制御信号を生成する。前記駆動制御信号は、前記ゲート駆動回路１７０の駆動を制御するゲート制御信号２１０ａ、電源供給回路２３０の駆動を制御する電源制御信号２１０ｂ、前記ソース駆動回路２５０の駆動を制御するソース制御信号２１０ｃ、及びフリッカー調整回路２６０の駆動を制御する調整制御信号２１０ｄを含む。
【００５６】
前記タイミング制御部２１０は、フリッカー調整モード時、前記ソース駆動回路２５０に、フリッカー検査映像に該当する検査データ２１０ｅを提供する。前記検査データ２１０ｅは、前記センシング部１５０に対応して前記第１センシング列ＳＨ１にはブラック階調のデータを提供し、前記第２センシング列ＳＨ２には中間階調または任意の階調のデータを提供する。
【００５７】
前記ゲート制御信号２１０ａは、垂直開始信号ＳＴＶ、第１クロック信号ＣＫ、及び第２クロック信号ＣＫＢを含む。前記電源制御信号２１０ｂは、フリッカー調整モード時、前記電圧供給回路２２０に提供され、前記センシング部１５０にセンシング駆動電圧ＶＤを提供するように制御する。前記ソース制御信号２１０ｃは水平開始信号、ピクセルクロック信号、ロード信号、及び反転信号を含む。前記調整制御信号２１０ｄは、前記フリッカー調整モード時、前記フリッカー調整回路２６０の駆動を制御する。
【００５８】
前記電源供給回路２２０は、駆動電圧を生成する。前記駆動電圧は、ゲートロー電圧ＶＧＬ、ゲートハイ電圧ＶＧＨ、共通電圧ＶＣＯＭ、センシング駆動電圧ＶＤ、及びアナログ電源電圧ＡＶＤＤを含む。前記ゲートロー電圧ＶＧＬ及びゲートハイ電圧ＶＧＨは前記タイミング制御部２１０に提供される。前記タイミング制御部２１０は、前記ゲートロー電圧ＶＧＬ及びゲートハイ電圧ＶＧＨを利用して前記第１ＣＫ及び第２クロック信号ＣＫＢを生成する。前記ゲートロー電圧ＶＧＬは、前記ゲート駆動回路１７０にも提供される。   
【００５９】
前記共通電圧ＶＣＯＭは、前記表示パネル１００に提供され、前記液晶コンデンサーに印加される。前記センシング駆動電圧ＶＤは、前記電源制御信号２１０ｄに基づき、前記フリッカー調整モード時、前記センシング部１５０の電圧配線（ＶＬ１，ＶＬ２，ＶＬ３）に提供される。前記アナログ電源電圧ＡＶＤＤは、前記ガンマ電圧発生回路２４０に提供される。
【００６０】
前記ゲート制御回路２３０は、ゲート制御信号である、前記第１クロック信号ＣＫ、第２クロック信号ＣＫＢ、及び垂直開始信号ＳＴＶを発生させ、前記ゲート駆動回路１７０に出力する。
【００６１】
前記ガンマ電圧発生回路２４０は、前記アナログ電源電圧ＡＶＤＤを利用し、複数のガンマ電圧ＶＧＡＭＭＡを生成して前記駆動回路２５０に提供する。
【００６２】
前記ソース駆動回路２５０は、外部より入力されるデジタル形態の映像データ２００ｄを前記ガンマ電圧を利用し、アナログ形態の階調電圧に変換して前記表示パネル１００に出力する。前記ソース駆動回路２５０は、前記ｍ個のソース配線（ＤＬ１，…，ＤＬｍ）に各々対応する階調電圧（Ｄ１，…，Ｄｍ）を出力する。
【００６３】
前記フリッカー調整回路２６０は、前記フリッカー調整モード時、前記センシング部１５０よりリードアウトされるセンシング信号を利用し、前記表示パネル１００のフリッカー指数（Ｆｌｉｃｋｅｒ  Ｉｎｄｅｘ）が臨界値以下になる前記共通電圧ＶＣＯＭのレベルを決める。つまり、前記フリッカー調整回路２６０は、共通電圧制御信号２６０ａを前記電源供給回路２００に提供し、前記共通電圧ＶＣＯＭのレベルを制御する。
【００６４】
図５は、フリッカー調整モード時、１つのフレームの間、表示パネルに出力される信号のタイミング図である。図６は、フリッカー調整モード時、表示パネルに表示される画面の概念図である。
【００６５】
図２、図４、図５、及び図６を参照すれば、前記ソース駆動回路２５０は、前記タイミング制御部２１０より提供される検査データ２１０ｅ及び映像データ２００ｄをアナログ形態の階調電圧に変換し、前記ソース配線（ＤＬ１，…，ＤＬｍ）に出力する。
【００６６】
具体的に、前記ソース駆動回路２５０は、第１センシング列ＳＨ１に対応してブラック階調のデータＢＧを出力し、第２センシング列ＳＨ２に対応して中間階調のデータＭＧを出力する。前記ブラック階調のデータＢＧが出力される１Ｈ（水平）区間中、前記ゲート駆動回路１７０は第１ダミーゲート信号ＤＧ１を出力し、前記タイミング制御部２１０は、第１センシングゲート信号Ｇｓ１及び第１駆動ゲート信号Ｇｄ１を出力する。
つまり、第１ダミーゲート配線ＤＧＬ１に第１ダミーゲート信号ＤＧ１が出力され、第１センシングゲート配線ＧＬｓ１に第１センシングゲート信号Ｇｓ１が出力され、第１駆動ゲート配線ＧＬｄ１に第１駆動ゲート信号Ｇｄ１が出力される。また、ソース配線ＤＬ１〜ＤＬ３にブラック階調のデータＢＧが出力される。そして、前記第１センシング列ＳＨ１に含まれる各トランジスタ（第１〜第３画素スイッチング素子ＴＲｐ１〜３、第１〜第３選択スイッチング素子ＴＲｓ１〜３、第１〜第３センシングスイッチング素子ＴＲｄ１〜３）がＯＮする。よって、前記第１センシング列ＳＨ１のセンシング画素部には、ブラック映像が表示され、表示されるブラック映像の輝度（または、光量）がセンシングされて前記フリッカー調整回路２６０に提供される。
【００６７】
同様の方式で、前記中間階調のデータＭＧが出力される１Ｈ区間中、前記ゲート駆動回路１７０は、第２ダミーゲート信号ＤＧ２を出力し、前記タイミング制御部２１０は、第２センシングゲート信号Ｇｓ２及び第２駆動ゲート信号Ｇｄ２を出力する。
つまり、第２ダミーゲート配線ＤＧＬ２に第２ダミーゲート信号ＤＧ２が出力され、第２センシングゲート配線ＧＬｓ２に第２センシングゲート信号Ｇｓ２が出力され、第２駆動ゲート配線ＧＬｄ１に第２駆動ゲート信号Ｇｄ２が出力される。また、ソース配線ＤＬ１〜ＤＬ３に中間階調のデータＭＧが出力される。そして、前記第２センシング列ＳＨ２に含まれる各トランジスタ（第４〜第６画素スイッチング素子ＴＲｐ４〜第６、第４〜第６選択スイッチング素子ＴＲｓ４〜６、第４〜第６センシングスイッチング素子ＴＲｄ４〜６）がＯＮする。よって、前記第２センシング列ＳＨ２のセンシング画素部には、中間階調の映像が表示され、表示される中間階調の映像の輝度（または、光量）がセンシングされて前記フリッカー調整回路２６０に提供される。
【００６８】
引き続き、前記ソース駆動回路２５０は、映像データ２００ｄをライン（水平列）単位で出力する。前記ゲート駆動回路１７０は、前記ソース駆動回路２５０より出力されるライン映像データ（Ｌ１，…，Ｌｎ）に対応し、ｎ個のゲート信号（Ｇ１，Ｇ２，…，Ｇｎ−１，Ｇｎ）を順次に出力する。よって、前記表示パネル１００には、１つのフレームの映像が表示される。
【００６９】
ここで、前記第１及び第２センシング列（ＳＨ１，ＳＨ２）は、前述したように、反射部材（トップシャシ、または反射膜）によってカバーされる領域であり、前記フリッカー検査映像は使用者に視認されない。
【００７０】
図７は、図４に図示されるフリッカー調整回路２６０に対するブロック図である。
【００７１】
図２、図４、及び図７を参照すれば、フリッカー調整回路２６０はセンシング信号処理部２６１、貯蔵部２６２、合算部２６３、最大／最小検出部２６４、フリッカー算出部２６５、及び決定部２６６を含む。
【００７２】
前記センシング信号処理部２６１は、フレーム単位で前記センシング部１５０よりリードアウトされるセンシング信号を、デジタル形態のセンシングデータに変換する。前記センシング部１５０の第１、第２、第３、第４、第５、及び第６の選択スイッチング素子（ＴＲｓ１，ＴＲｓ２，ＴＲｓ３，ＴＲｓ４，ＴＲｓ５，ＴＲｓ６）より出力される第１、第２、第３、第４、第５、及び第６センシング信号をデジタル形態の第１、第２、第３、第４、第５、及び第６センシングデータに変換して出力する。
【００７３】
前記貯蔵部２６２は、第１、第２、第３、第４、第５、及び第６センシングデータを貯蔵する。
【００７４】
前記合算部２６３は、フレーム単位で、前記第１、第２、第３、第４、第５、及び第６センシングデータを合算して前記貯蔵部２６２に貯蔵する。フリッカー指数を計算するために、予め設定される数のフレームに対する合算値を前記貯蔵部２６２に貯蔵する。
【００７５】
前記最大／最小検出部２６４は、前記貯蔵部２６２に貯蔵される、フレーム数に対する合算値のうち、最大値（Ｍａｘ）と最小値（Ｍｉｎ）を検出する。
【００７６】
前記フリッカー算出部２６５は、前記最大値（Ｍａｘ）と最小値（Ｍｉｎ）を利用してフリッカー指数（Ｆｌｉｃｋｅｒ  Ｉｎｄｅｘ：ＦＩ）を算出する。前記フリッカー指数ＦＩは次の式（１）により求める。
【００７７】
【数１】
2008276236.tif 000003
・・・（１）
【００７８】
前記決定部２６６は、前記算出された指数ＦＩと、予め設定される臨界値（Ｔｈｒｅｓｈｏｌｄ  Ｖａｌｕｅ）を比較し、前記算出されたフリッカー指数ＦＩが前記臨界値より小さい場合、現在の共通電圧ＶＣＯＭをセッティングするように前記電源供給回路２２０を制御する。
【００７９】
他方、前記算出されたフリッカー指数ＦＩが、前記臨界値より大きい場合、前記共通電圧ＶＣＯＭのレベルを、予め設定される一定のレベルほど調整するように前記電源供給回路２００を制御する共通電圧制御信号２６０ａを出力する。例えば、フリッカーの発生が所定値以下となるように共通電圧ＶＣＯＭを調整する。
【００８０】
よって、前記表示パネル１００には、調整された共通電圧ＶＣＯＭが適用されるフリッカー検査映像が表示され、前記センシング部１５０は、センシング信号を出力する。前記合算部２６３、最大／最小検出部２６４、及びフリッカー算出部２６５を通じてフリッカー指数を算出する。前記決定部２６６は算出されるフリッカー指数ＦＩと前記臨界値を比較して前記臨界値より前記フリッカー指数ＦＩが小さい場合は、前記調整された共通電圧ＶＣＯＭをセッティングするように前記電源供給回路２２０を制御する。
【００８１】
他方、所定の回数を繰り返して算出する前記フリッカー指数ＦＩ全てが前記臨界値より大きい場合、前記所定の回数中に算出されるフリッカー指数ＦＩのうち、最も小さい最小フリッカー指数に該当する調整された共通電圧ＶＣＯＭをセッティングするように、前記電源供給回路２２０を制御する。
【００８２】
図８及び図９は、本発明の第２実施例によるフリッカー調整方法に対するフローチャートである。
【００８３】
図７、図８及び図９を参照すれば、フリッカー調整モード時、前記表示パネル１００にはフリッカー検査映像を表示する（段階Ｓ１２０）。
【００８４】
前記センシング部１５０は、表示されるフリッカー検査映像の輝度をセンシングしてセンシング信号を出力する。前記センシング信号処理部２６１はリードアウトされるセンシング信号をデジタル形態のセンシングデータに変換する（段階Ｓ１３１）。
【００８５】
前記合算部２６３は、フレーム毎に前記センシングデータを合算して合算値を前記貯蔵部２６２に貯蔵する（段階Ｓ１３３）。
【００８６】
前記段階Ｓ１３１及びＳ１３３を、予め設定されるフレームの数Ｑの数だけ繰り返し、前記貯蔵部２６２に予め設定されるフレームに対する合算値を貯蔵する（段階Ｓ１３０）。前記Ｑは自然数である。例えば、初期値１であるＭ（Ｍ＝１）が前記Ｑと同一の値を有するまで、１つのフレーム当りに１を加算する方式（Ｍ＝Ｍ＋１）として、前記段階Ｓ１３１及びＳ１３３が予め設定されるフレーム数Ｑの数だけ繰り返されることになる。
【００８７】
前記最大／最小検出部２６４は、前記貯蔵部２６２に貯蔵される、予め設定される数のフレームに対する合算値のうち、最大値（Ｎ＿Ｍａｘ）及び最小値（Ｎ＿Ｍｉｎ）を検出する（段階Ｓ１４０）。ここで、前記Ｎは１である。つまり、第１最大値（１＿Ｍａｘ）及び第１最小値（１＿Ｍｉｎ）を検出する。
【００８８】
前記フリッカー算出部２６５は、前記第１最大値（１＿Ｍａｘ）及び第１最小値（１＿Ｍｉｎ）を用いて、前記式（１）により第１フリッカー指数（１＿ＦＩ）を算出する（段階Ｓ１５０）。
【００８９】
前記決定部２６６は、予め設定される臨界値ＴＨと前記算出される第１フリッカー指数（１＿ＦＩ）を比較する（段階Ｓ１６０）。比較の結果、前記第１フリッカー指数（１＿ＦＩ）が前記臨界値より少ない場合、前記電源供給回路２２０を制御して現在の第１共通電圧ＶＣＯＭ１をセッティングする（段階Ｓ２１０）。
【００９０】
他方、前記段階（Ｓ１６０）において、前記算出される第１フリッカー指数（１＿ＦＩ）が前記臨界値ＴＨより大きい場合、前記決定部２６６は、前記電源供給回路２２０を制御し、前記第１共通電圧ＶＣＯＭ１を第２共通電圧ＶＣＯＭ２に調整する（段階Ｓ１７０）。
【００９１】
その後、前記段階Ｓ１２０、Ｓ１３０、Ｓ１４０、及びＳ１５０を通じて前記第２共通電圧ＶＣＯＭ２が適用され、表示される検査映像に対する第２フリッカー指数（２＿ＦＩ）を算出する。前記決定部２６６は、前記臨界値ＴＨと算出される第２フリッカー指数（２＿ＦＩ）を比較し（段階Ｓ１６０）、前記第２フリッカー指数（２＿ＦＩ）が前記臨界値ＴＨより小さい場合、前記電源供給回路２２０を制御して前記第２共通電圧ＶＣＯＭ２をセッティングする（段階Ｓ２１０）。
【００９２】
他方、前記決定部２６６は、前記ＮがＫ＋１（Ｋ＞２自然数）になるまで、前記算出されるＫ個のフリッカー指数（１＿ＦＩ，２＿ＦＩ，…，Ｋ＿ＦＩ）全てが前記臨界値ＴＨより大きい場合、前記Ｋ個のフリッカー指数（１＿ＦＩ，２＿ＦＩ，…，Ｋ＿ＦＩ）のうち、最小フリッカー指数（ｍｉｎ＿ＦＩ）を決める（Ｓ１８０）。前記決定部２６６は、前記最小フリッカー指数（ｍｉｎ＿ＦＩ）に該当する共通電圧（ｍｉｎ＿ＶＣＯＭ）をセッティングするように、前記電源供給回路２２０を制御する（段階Ｓ２１０）。
【００９３】
このような方式で、前記表示パネル１００のフリッカー指数を予め設定される臨界値ＴＨより小さい値、または前記臨界値ＴＨに近接する値になる共通電圧ＶＣＯＭをセッティングする方式でフリッカー調整を遂行する。
【００９４】
以上、説明したように、本発明によれば、表示パネルのフリッカー調整を表示装置の駆動回路において直接遂行することによって表示パネルごと、互いに異なる工程偏差及び駆動回路の部品偏差などに起因するフリッカー特性の変化に適応的にフリッカー調整を行うことができる。また、温度などの環境変化に起因するフリッカー特性の変化にも適応的にフリッカー調整を行うことができる。例えば、表示装置の駆動時にフリッカー調整を行うことで、周囲の環境に応じたフリッカー調整を行うことができる。よって、フリッカー調整の信頼性を向上させ、また表示品質も向上させることができる。
【００９５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９６】
【図１】本発明の第１実施例による表示装置の平面図である。
【図２】図１に図示されるセンシング部の等価回路図である。
【図３】図１に図示される表示装置のセンシング部に対する概略的な断面図である。
【図４】図１に図示される駆動回路に対するブロック図である。
【図５】フリッカー調整モード時、１つのフレームの間、表示パネルに出力される信号のタイミング図である。
【図６】フリッカー調整モード時、表示パネルに表示される画面である。
【図７】図４に図示されるフリッカー調整回路に対するブロック図である。
【図８】本発明の第２実施例によるフリッカー調整方法に対するフローチャートである。
【図９】本発明の第２実施例によるフリッカー調整方法に対するフローチャートである。
【符号の説明】
【００９７】
１００    表示パネル
２００    駆動回路
１５０    センシング部
１７０    ゲート駆動回路
２１０    タイミング制御部
２２０    電源供給回路
２３０    ゲート制御回路
２４０    ガンマ電圧発生回路
２５０    ソース駆動回路
２６０    フリッカー調整回路
２６１    センシング信号処理部
２６２    貯蔵部
２６３    合算部
２６４    最大／最小検出部
２６５    フリッカー算出部
２６６    決定部
３００    光源部
４００    反射部材 
【図１】
2008276236.tif 000004
【図２】
2008276236.tif 000005
【図３】
2008276236.tif 000006
【図４】
2008276236.tif 000007
【図５】
2008276236.tif 000008
【図７】
2008276236.tif 000009
【図８】
2008276236.tif 000010
【図９】
2008276236.tif 000011
【図６】
2008276236.tif 000012